(57)【要約】【課題】耐水性や耐薬品性等の耐性に優れ、豊富な情報量をもつことができると共に読取操作が容易で読取エラーが発生し難く、追加書き込み操作が可能なマイクロアレイ用基板を提供することである。【解決手段】一方の面にプローブ分子が固定されたプローブ分子固定領域を設ける生体分子の検出具に用いるマイクロアレイ用基板の他方の面に前記プローブ分子固定領域を避けて情報の読み書き可能なＩＣタグを設けたことを特徴とするＩＣタグ付きマイクロアレイ用基板。【選択図】        図２
2004354300.tif 000002
【特許請求の範囲】
【請求項１】
一方の面にプローブ分子が固定されたプローブ分子固定領域を設ける生体分子の検出具に用いるマイクロアレイ用基板の他方の面に前記プローブ分子固定領域を避けて情報の読み書き可能なＩＣタグを設けたことを特徴とするＩＣタグ付きマイクロアレイ用基板。
【請求項２】
前記プローブ分子固定領域が前記マイクロアレイ用基板の周縁部を除く領域に設けられ、前記ＩＣタグが前記マイクロアレイ用基板の周縁部に設けられていることを特徴とする請求項１記載のＩＣタグ付きマイクロアレイ用基板。
【請求項３】
前記ＩＣタグの構成要素であるアンテナパターンが印刷により形成され、前記ＩＣタグが絶縁体で被覆されていることを特徴とする請求項１、２のいずれかに記載のＩＣタグ付きマイクロアレイ用基板。
【請求項４】
前記ＩＣタグの構成要素であるアンテナパターンが金属箔で形成され、前記ＩＣタグが絶縁体で被覆されていることを特徴とする請求項１、２のいずれかに記載のＩＣタグ付きマイクロアレイ用基板。
【請求項５】
前記ＩＣタグがアンテナパターンを金属箔で形成したＩＣタグを備えたフィルム基材からなり、前記マイクロアレイ用基板の他方の面に前記アンテナパターンが当接するように貼着したことを特徴とする請求項１記載のＩＣタグ付きマイクロアレイ用基板。
【請求項６】
前記ＩＣタグがＩＣタグを樹脂材料で被覆したＩＣタグインレットからなり、該ＩＣタグインレットを前記マイクロアレイ用基板の他方の面に貼着したことを特徴とする請求項１記載のＩＣタグ付きマイクロアレイ用基板。
【請求項７】
前記マイクロアレイ用基板は長方形の一つの角部に切欠部を有する形状からなり、この切欠部のある短辺端部にＩＣチップが設けられていることを特徴とする請求項１〜６のいずれかに記載のＩＣタグ付きマイクロアレイ用基板。
【発明の詳細な説明】
【０００１】
【発明の属する技術分野】
本発明は、ＤＮＡマイクロアレイ、蛋白質マイクロアレイ、細胞マイクロアレイ等のプローブ分子を複数個配列すると共に固定したマイクロアレイの識別および検査管理に関し、さらに詳しくは、マイクロアレイにＩＣタグを設けることにより、マイクロアレイの識別および検査管理を効率的に行なうことができる耐久性に優れたマイクロアレイ用基板に関するものである。
【０００２】
【従来の技術】
ゲノム解析の進展により、種々の生物の生理反応に関与する生体分子が解明されてきた。これら生体分子には、ＤＮＡ、蛋白質、糖鎖、細胞などがあり、機能や構造等が解明されたものは、創薬や臨床検査、食品検査、環境検査などの各種産業用途に利用される。
【０００３】
臨床検査を始めとする検査では、以下の方法が一般的によく採用される。すなわち、検出したい生体分子（以下、アナライトと呼称する）と特異的に結合するプローブ分子（以下、リガンドと呼称する）を基板上に固定した、いわゆるデバイスの前記リガンド上にアナライトの被検体液を流すなり、あるいは、デバイスを被検体液に浸漬する。アナライトが存在する場合、リガンドと結合してアナライトがデバイス（基板）上に捕捉される。
【０００４】
捕捉されたアナライトの検出には種々の方法があるが、最もよく使われる検出方法としては標識法、すなわち、アナライトと特異的に結合するリガンドに蛍光や酵素標識を行ない、アナライトをリガンドと標識物質でサンドイッチして標識物質を計測する方法がある。
【０００５】
また、非標識法としては、表面プラズモン分析や水晶発振子による解析法などのアナライトが結合したことによる基板表面の微小変化を計測する方法がある。
【０００６】
また、アナライトがＤＮＡの場合は、被検体液中のＤＮＡのすべてを、また、蛋白質の場合は、被検体液中の蛋白質のすべてを標識し、リガンドに結合したアナライトの量を標識シグナルにより直接計測する方法がある。この方法は、同一基板上に複数のリガンドが固定されている場合に、よく用いられる方法である。
【０００７】
また、リガンドを固定する基板としては、メンブレンや不織布のような吸水性材料、ラテックスや磁性ビーズのような粒状物質、マイクロプレートウエルのような研究用ディスポ材料を挙げることができ、リガンドの種類としては１〜数項目が多い。
【０００８】
また、上記したような検査方法においても、近年、高速化、自動化が求められ、数百〜数万の生体分子を同時に網羅的に計測する検出方法が要望されるようになり、これについても生体分子固定の集積化技術、いわゆる、ＭＥＭＳ技術を用いたデバイス設計が可能となり、いわゆるマイクロアレイとして、創薬研究やバイオ研究における網羅的解析に用いられている。
【０００９】
デバイスとしてのマイクロアレイは、基板上に固定されるプローブ分子の種類により、ＤＮＡマイクロアレイ（ＤＮＡチップとも呼ばれる）、蛋白質マイクロアレイ（蛋白質チップとも呼ばれる）、細胞マイクロアレイ（細胞チップとも呼ばれる）等がある。これらの中で、ゲノム解析により遺伝子種の機能や構造の解明が最も進んでいる、あるいは、基板上への固定方法や検出方法が安定しているなどの理由から、ＤＮＡをリガンドとして採用したマイクロアレイであるＤＮＡマイクロアレイが広く用いられている。
【００１０】
ＤＮＡマイクロアレイには種々のタイプのものが存在するが、作製方法が比較的容易かつ安価なために最も普及しているＳｔａｎｆｏｒｄ型ＤＮＡマイクロアレイを例に採ると、スライドグラスのサイズ（２５．４×７６．２ｍｍ）に１０〜５０μｍの間隔で金属ピンやインクジェットで数１０種類から３万種類のスポット径１００〜３００μｍのＤＮＡ溶液を点着固定したものがある。点着固定されるＤＮＡ種は対象となる生体種のＤＮＡが用いられる。たとえば、酵母のように全ゲノムが解読され、かつ、遺伝子数が６０００前後の場合は、酵母の全遺伝子を配列固定する。通常、測定誤差を防ぐために同一種のＤＮＡを２スポット固定する。そして、２つのスポットが共に同一結果である場合を解析結果として採用する。よって、酵母の場合は、全遺伝子数が１２０００（６０００×２）である。
【００１１】
また、ヒトゲノムのように遺伝子数が３５０００前後と、ＤＮＡマイクロアレイに固定可能な遺伝子数を超える場合は、通常、臓器や組織等の部位、あるいは、疾患に限定して固定されて解析される。また、ＤＮＡマイクロアレイは、ＤＮＡが配列固定された状態でメーカーから提供される場合もあれば、ユーザーが各研究室でスライドグラス状の基板にＤＮＡをスポット固定する場合もある。
【００１２】
そして、解析は、ＤＮＡマイクロアレイ上に、たとえば、蛍光物質で予め蛍光標識を行なった被検体液を流すなり、あるいは、ＤＮＡマイクロアレイを、たとえば、蛍光物質で予め蛍光標識を行なった被検体液中に浸漬する等して基板上に固定したＤＮＡと同一のＤＮＡが被検体液に含まれていれば、両者をハイブリダイズさせることができ、その後にＤＮＡマイクロアレイを洗浄してからハイブリダイズされたＤＮＡの蛍光物質が発する蛍光シグナルを検出測定することにより被検体液中に含まれるＤＮＡ種や発現量が同定される。
【００１３】
蛍光シグナルの検出は、スキャニングにより基板（スライドグラス）の蛍光強度の二次元分布を計測（バックグラウンド値）した後に、このバックグラウンド値を基準として各スポットの蛍光強度を画像解析により計測する。
【００１４】
この時に、検出項目が数万種にも上るため、基板に固定されたＤＮＡの配列に関する情報は予めデジタルデータとしてコンピュータや、該コンピュータと接続されたサーバにアレイ情報として登録される。アレイ情報は、各スポットの位置情報と、アレイの各位置にスポットされたＤＮＡの配列、固定量、ＤＮＡの機能などである。一方、個々のＤＮＡマイクロアレイには、アレイを同定する識別情報（以下、ＩＤと呼称する）が付与され、ＩＤをリーダーで識別することにより、コンピュータもしくはサーバ内の対応するアレイ情報が読み出される。アレイ情報を登録したコンピュータ・サーバは、通常蛍光シグナル測定装置〔たとえば、富士フィルム（株）製：ＬＡＳ１０００プラス（商品名）〕と連動しており、蛍光シグナル測定時にマイクロアレイのＩＤより、対応するアレイ情報を読み出し、各スポットの蛍光強度と予め登録されたＤＮＡマイクロアレイ固有のアレイ情報と照合することにより各スポットのＤＮＡの量として計測される。ＤＮＡマイクロアレイのＩＤとしては、スライドグラスの端部に貼付されたバーコードラベルやインクジェットなどによるナンバリングが一般的である。この理由としては、ＤＮＡマイクロアレイのサイズが２５．４×７６．２ｍｍと小さく、また、リガンドを固定する固定領域には基板面に直交する方向に、たとえば、蛍光強度を測定することからＩＤを設けることができないために、通常ＤＮＡマイクロアレイの端部の狭い領域に設けねばならないからである。
【００１５】
しかしながら、バーコードラベルやインクジェットでのナンバリングには以下の問題がある。すなわち、
▲１▼ＤＮＡマイクロアレイを用いた生体分子検出法には、被検体液をＤＮＡマイクロアレイ上に流す、あるいは、被検体液に浸漬する過程があり、耐水性や耐薬品性を考慮するとバーコードラベルやインクジェットでのナンバリングは滲みや消失の虞がある。
▲２▼バーコードラベルでは、基板に貼着するためにバーコードラベルの裏面に設けられている粘着剤や接着剤が、アナライトとリガンドとの結合を阻害する虞があるという問題がある。また、ナンバリングは、ＤＮＡマイクロアレイ照合の際に、ユーザーが直接コンピュータに番号を入力する手間がかかると共にバーコードでは読取機構の問題から読取操作が煩雑であり、読取エラーが発生し易い。
▲３▼一つのＤＮＡマイクロアレイを複数回使用する場合に、ＤＮＡマイクロアレイ自体に計測履歴を書き込むことが望ましいが、バーコードラベルやナンバリングでは追加書き込みができない。
▲４▼ＤＮＡマイクロアレイに設ける場合、ナンバリングで１０桁前後、バーコードで数１０桁であることを考えると製造ロットの情報が精一杯であり、本来はＤＮＡマイクロアレイに設けることが望ましいＤＮＡの由来、供給元、実験履歴などの詳細情報を設けることができない。
▲５▼ＤＮＡマイクロアレイは、冷蔵庫や冷凍庫に保存される場合があるが、バーコードでは常温放置した後に読取をおこなわないと結露による読取エラーが発生する虞がある。
【００１６】
なお、以上述べた従来のデバイスとしてのマイクロアレイを開示した先行技術文献は多岐にわたっているが、出願人は、本発明の特徴に直接関連した内容が開示されている先行技術文献を現段階では認識していないために、本明細書では、先行技術文献情報の記載は行っていない。
【００１７】
【発明が解決しようとする課題】
そこで本発明は、耐水性や耐薬品性等の耐性に優れ、豊富な情報量をもつことができると共に読取操作が容易で読取エラーが発生し難く、追加書き込み操作が可能なマイクロアレイ用基板を提供することである。
【００１８】
【課題を解決するための手段】
本発明者は、非接触で外部リーダライタと情報の交信が可能であり、情報量を多く持つことができるＩＣタグを備えた以下に記す手段からなるマイクロアレイ用基板とすることにより上記課題を達成できることを見出して本発明を完成させた。
【００１９】
すなわち、請求項１記載の本発明のＩＣタグ付きマイクロアレイ用基板は、一方の面にプローブ分子が固定されたプローブ分子固定領域を設ける生体分子の検出具に用いるマイクロアレイ用基板の他方の面に前記プローブ分子固定領域を避けて情報の読み書き可能なＩＣタグを設けたことを特徴とするものである。
【００２０】
また、請求項２記載の本発明は、請求項１記載のＩＣタグ付きマイクロアレイ用基板において、前記プローブ分子固定領域が前記マイクロアレイ用基板の周縁部を除く領域に設けられ、前記ＩＣタグが前記マイクロアレイ用基板の周縁部に設けられていることを特徴とするものである。
【００２１】
また、請求項３記載の本発明は、請求項１、２のいずれかに記載のＩＣタグ付きマイクロアレイ用基板において、前記ＩＣタグの構成要素であるアンテナパターンが印刷により形成され、前記ＩＣタグが絶縁体で被覆されていることを特徴とするものである。
【００２２】
また、請求項４記載の本発明は、請求項１、２のいずれかに記載のＩＣタグ付きマイクロアレイ用基板において、前記ＩＣタグの構成要素であるアンテナパターンが金属箔で形成され、前記ＩＣタグが絶縁体で被覆されていることを特徴とするものである。
【００２３】
また、請求項５記載の本発明は、請求項１記載のＩＣタグ付きマイクロアレイ用基板において、前記ＩＣタグがアンテナパターンを金属箔で形成したＩＣタグを備えたフィルム基材からなり、前記マイクロアレイ用基板の他方の面に前記アンテナパターンが当接するように貼着したことを特徴とするものである。
【００２４】
また、請求項６記載の本発明は、請求項１記載のＩＣタグ付きマイクロアレイ用基板において、前記ＩＣタグがＩＣタグを樹脂材料で被覆したＩＣタグインレットからなり、該ＩＣタグインレットを前記マイクロアレイ用基板の他方の面に貼着したことを特徴とするものである。
【００２５】
また、請求項７記載の本発明は、請求項１〜６のいずれかに記載のＩＣタグ付きマイクロアレイ用基板において、前記マイクロアレイ用基板は長方形の一つの角部に切欠部を有する形状からなり、この切欠部のある短辺端部にＩＣチップが設けられていることを特徴とするものである。
【００２６】
【作用】
上記請求項１〜７のいずれかに記載の構成とすることにより、耐水性や耐薬品性等の耐性に優れ、豊富な情報量をもつことができると共に読取操作が容易で読取エラーが発生し難く、追加書き込み操作が可能なマイクロアレイ用基板とすることができ、また、ＩＣタグの構成要素であるＩＣチップとアンテナとをプローブ分子固定領域を避けて、具体的にはマイクロアレイ用基板面に直交する方向においてＩＣチップとアンテナとをプローブ分子固定領域と重なることがないように設けたことにより、一連のアナライトの検出操作時に検出阻害の発生することがないマイクロアレイ用基板とすることができる。
【００２７】
【発明の実施の形態】
上記の本発明について、図面等を用いて以下に詳述する。
図１はＤＮＡマイクロアレイの一般的な配置を説明する表面図、図２は本発明にかかるＤＮＡマイクロアレイの一実施例を示す裏面図および断面図、図３は非接触型ＩＣタグの一例を示す図であり、図中の１はＤＮＡマイクロアレイ、２は切欠部、３はスライドグラス、４，４’はＩＣタグ、５は基材、６は導通部材、４２，４２’はアンテナパターン、４１，４１’はＩＣチップ、４２’ａ，４２’ｂは接続端子、Ｓ１は固定領域、Ｓ２は非固定領域をそれぞれ示す。
【００２８】
図１はＤＮＡマイクロアレイの一般的な配置を説明する表面図であって、ＤＮＡマイクロアレイ１は表裏面の間違いを防止するために一角に切欠部２を有するスライドグラス３からなり、ＤＮＡがスポット固定される固定領域Ｓ１とＤＮＡがスポット固定されない非固定領域Ｓ２に区画され、前記切欠部２のある短辺端部が約１５ｍｍ巾およびこれ以外の三辺端部が約５ｍｍ巾の領域が非固定領域Ｓ２となっている。そして、前記切欠部２のある短辺端部の非固定領域Ｓ２にバーコード（図示せず）等のＩＤが設けられる。
【００２９】
図２は本発明にかかるＤＮＡマイクロアレイの一実施例を示す裏面図および断面図であって、ＤＮＡマイクロアレイ１の裏面（ＤＮＡがスポット固定される面の反対面）の前記非固定領域Ｓ１にＩＣタグ４の構成要素であるＩＣチップ４１とアンテナパターン４２が設けられ、前記ＩＣチップ４１が前記切欠部２のある短辺端部の非固定領域Ｓ２に設けられている。前記ＩＣタグ４には接触型と非接触型とがあるが、認識の簡便性から非接触型が望ましい。
【００３０】
図３は非接触型ＩＣタグの一例を示す図であって、非接触型ＩＣタグ４’はプラスチックやガラス等の基材５にコイル状アンテナパターン４２’を形成し、当該コイルと容量素子とによりＬＣ共振回路を形成して一定周波数の電波を受信すると共に非接触型ＩＣタグの情報を発信源に送信して返すことができる。交信周波数としては、一般的には１２５ｋＨｚ、１３．５６ＭＨｚ、２．４５ＧＨｚ、５．８ＧＨｚ（マイクロ波）の周波数帯から選択して使用される。図３の場合、アンテナパターン４２’は導通部材６により前記基材５の裏面でジャンピング回路を形成して接続端子４２’ａ、４２’ｂによりＩＣチップ４１’の裏面バンプに接続しているが、その他、各種の配線構造のものがある。また、容量素子はＩＣチップ４１’に内蔵されるか、回路自体の浮遊容量を使用している。
【００３１】
このような非接触型ＩＣタグ４’はＤＮＡマイクロアレイ１のスライドグラス３（ガラス）やプラスチック等の基材５にラミネートしたアルミニウム箔等の金属箔をフォトエッチングやレジスト印刷後のエッチングによりアンテナパターン４２’を形成するか、プリント配線技術により形成し、ＩＣチップを装着する。非接触型ＩＣタグ４’のアンテナパターン４２’の形状は、図３に示す例に限るものではないが、図３に示すように非固定領域Ｓ２に周回するようにパターンを形成するのが十分な通信距離を得ることができるために望ましいし、非固定領域Ｓ２に設けることにより、たとえば、蛍光強度を測定する場合に測定を阻害することがない。
【００３２】
非接触型ＩＣタグの設け方としては、たとえば、スライドグラス３に直接設ける方法と、予め非接触型ＩＣタグを設けたプラスチックフィルム、あるいは、予め非接触型ＩＣタグを樹脂材料で被覆したＩＣタグインレットをスライドグラス３に貼付する方法等がある。非接触型ＩＣタグをスライドグラス３に直接設ける方法としては、スライドグラス３にアンテナパターンを導電性インキで印刷、たとえば、シルクスクリーン印刷法で形成するか、あるいは、スライドグラス３にアルミニウム箔等の金属箔をラミネートした後にフォトエッチングによりアンテナパターンを形成し、その後にＩＣチップを装着し、封止材料でＩＣタグ部分を被覆する。封止材料としては、アクリル系、ウレタン系、エポキシ系等の熱硬化型やＵＶ硬化型樹脂が適当であり、被覆方法としては、たとえば、上記樹脂をインキ化してシルクスクリーン印刷法で印刷することにより被覆することができるし、また、たとえば、上記樹脂をフィルム化し、これを熱硬化型やＵＶ硬化型接着剤等を介して積層して被覆することができる。熱硬化型やＵＶ硬化型接着剤を用いることにより、耐水性や耐薬品性において優れるものとできる。
【００３３】
また、予め非接触型ＩＣタグを設けたプラスチックフィルム、あるいは、予め非接触型ＩＣタグを樹脂材料で被覆したＩＣタグインレットを用いる場合に、スライドグラス３に貼着する接着剤としては、上記と同じ理由から熱硬化型やＵＶ硬化型接着剤が好ましい。
【００３４】
次に、ＩＣタグ付きＤＮＡマイクロアレイ用基板の使い方について、ＩＣタグ付きＤＮＡマイクロアレイ用基板が製造メーカーより供給されて使用する場合と、研究室等で自前で作製して使用する場合とに分けて説明する。
【００３５】
まず、製造メーカーより供給されて使用する場合について説明する。
製造メーカーで製造されたＩＣタグ付きＤＮＡマイクロアレイ用基板は、製造メーカーで製造番号と生物種等からなるＩＤがＩＣタグに外部リーダライタによって書き込まれてユーザーに供給されると共に前記ＩＤに対応するマイクロアレイ情報は、製造メーカーから、たとえば、ＣＤ−ＲＯＭ等の形態でデジタルデータとしてユーザーに提供される。ユーザーは、供給されたＩＣタグ付きＤＮＡマイクロアレイ用基板を用いて被検体液をハイブリダイズ後、蛍光強度を計測する際に、ＩＣタグに書き込まれたＩＤを外部リーダライタにより読み取ると共にユーザーマイクロアレイ解析ＤＢ（以下、解析ＤＢと呼称する）に実験条件や被検体液の条件を入力し、新たに生成した実験結果、たとえば、実験日、実験者、第ｎ回目（ｎ：整数）等を履歴として外部リーダライタでＩＣタグに書き込む。前記ＩＤから製造メーカーのマイクロアレイＤＢ情報を解析ＤＢに取り込むと共に、各スポットに固定したＤＮＡと相補的に結合したＤＮＡ量を算出し、被検体液の生体情報の解析を行なう。ＤＮＡマイクロアレイは、数回の繰り返し使用が可能であるため、前記ＩＤと書き込まれた前記実験結果の履歴から以前のデータを読み出すことにより、新規データとの比較検討が容易になる。このようなＩＣタグのＩＤを使ってのデータの照合や解析は、ＳＮＰ解析による疾患研究や診断のような多数のサンプルを処理するような場合に、アレイとデータとの照合が簡易かつ短時間で行なえるために好適である。
【００３６】
次に、各研究室で自作して使用する場合について説明する。ヒト・マウスのような比較的よく用いられるＤＮＡマイクロアレイは製造メーカーによって供給されるが、特殊な生物種や細胞のＤＮＡマイクロアレイは一般的に各研究室で自作される場合が多い。たとえば、微生物や植物、動物などの特定の生物種を長年研究し、遺伝子資源を蓄積している研究室がＤＮＡマイクロアレイを自作し、自らの研究室での研究に用いるだけでなく、同一の生物種を研究している外部の研究室に提供する場合がある。この場合、製造の手間の問題（製造に時間と労力がかかる問題）はあるものの、プローブ分子のロット差を均一にするために、通常、マイクロアレイは一度に大量に作製される場合が多い。このような場合、ＤＮＡマイクロアレイ基板に、プローブ分子の由来生物種、特徴、作成日、製造番号等を書き込むが、ＩＣタグを備えていることにより、簡易かつ短時間で書き込むことができる。また、プローブ分子を固定したＤＮＡマイクロアレイの実験結果履歴の書き込み、ＩＤによるアレイデータの読み出し・照合の手順は製造メーカーから供給された場合のＩＣタグ付きＤＮＡマイクロアレイ用基板と同様の手順で行なえばよいものである。
【００３７】
【発明の効果】
以上縷々説明したように、本発明のＩＣタグ付きマイクロアレイ用基板は、耐水性や耐薬品性等の耐性に優れ、豊富な情報量をもつことができると共に読取操作が容易で読取エラーが発生し難く、追加書き込み操作が可能であるなどの数々の優れた効果を奏する。
【図面の簡単な説明】
【図１】ＤＮＡマイクロアレイの一般的な配置を説明する表面図である。
【図２】本発明にかかるＤＮＡマイクロアレイの一実施例を示す裏面図および断面図である。
【図３】非接触型ＩＣタグの一例を示す図である。
【符号の説明】
１                            ＤＮＡマイクロアレイ
２                            切欠部
３                            スライドグラス
４，４’                      ＩＣタグ
５                            基材
６                            導通部材
４２，４２’                  アンテナパターン
４１，４１’                  ＩＣチップ
４２’ａ，４２’ｂ            接続端子
Ｓ１                          固定領域
Ｓ２                          非固定領域
【図１】
2004354300.tif 000003
【図２】
2004354300.tif 000004
【図３】
2004354300.tif 000005